(57)【要約】【課題】従来構成のＰＤＰ装置においてＰＤＰパネル本体から放出される電磁波を低減するために低導電率を有する金属メッシュやスパッタが使用されていたが、ＰＤＰパネル内部に流れる放電電流により発生する交番磁界に対して十分な遮断が出来ていない。【解決手段】前面ガラス板の前面側に光学フィルタを設けてなるカラー表示用プラズマディスプレイパネルにおいて、前記光学フィルターにコントラスト改善のために一定範囲の可視光を吸収するとともに、前記カラー表示用プラズマディスプレイパネルで発生する不要電界と不要磁界を吸収する電界・磁界吸収層を強磁性を有する金属メッシュで構成したものである。【選択図】図１
2005292742.tif 000002
【特許請求の範囲】
【請求項１】
前面ガラス板の前面側に光学フィルタを設けてなるプラズマディスプレイ装置において、前記光学フィルターには不要輻射電界と不要輻射磁界を吸収する電界・磁界吸収層が設けられていることを特徴とするプラズマディスプレイ装置。
【請求項２】
電界・磁界吸収層は、強磁性を有する金属体がスパッタ（蒸着）で付着されることを特徴とする請求項１記載のプラズマディスプレイ装置。
【請求項３】
電界・磁界吸収層上に低抵抗率を有する金属でめっきを施したことを特徴とする請求項１記載のプラズマディスプレイ装置。
【請求項４】
プラズマディスプレイパネルの後面側を覆うバックカバー部を備えるプラズマディスプレイ装置において、前記バックカバー部は強磁性を有する金属により構成されることを特徴とするプラズマディスプレイ装置。
【請求項５】
プラズマディスプレイパネルの後面側を覆うバックカバー部を備えるプラズマディスプレイ装置において、前記バックカバー部と前記プラズマディスプレイパネルとの間に不要輻射電界と不要輻射磁界を吸収する電界・磁界吸収層が備えられることを特徴とするプラズマディスプレイ装置。
【請求項６】
電界・磁界吸収層は、バックカバー部の内側面に貼り付けて設けられたことを特徴とする請求項５記載のプラズマディスプレイ装置。
【請求項７】
電界・磁界吸収層は、バックカバー部の内側面に強磁性を有する金属体がスパッタ（蒸着）で付着されることを特徴とする請求項５記載のプラズマディスプレイ装置。
【発明の詳細な説明】
【技術分野】
【０００１】
本発明は、大画面で、薄型、軽量のディスプレイ装置として知られているプラズマディスプレイ装置の不要輻射に関するものである。
【背景技術】
【０００２】
近年、プラズマディスプレイ装置は、視認性に優れた表示パネル（薄型表示デバイス）として注目されており、高精細化および大画面化が進められている。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、ＡＣ型で面放電型のプラズマディスプレイ装置が主流を占めるようになってきている。
まず、プラズマディスプレイ装置におけるプラズマディスプレイパネルの構造について図３を用いて説明する。  図４に図３のＡ−Ａ’線で切断した断面を示し、図５に図３のＢ−Ｂ’線で切断した断面を示している。図に示すように、ガラス基板などの透明な前面側の基板１上には、走査電極２と維持電極３とで対をなすストライプ状の表示電極４が複数対形成され、そして基板１上の隣り合う表示電極４間には遮光層５が配置形成されている。この走査電極２および維持電極３は、それぞれ透明電極２ａ、３ａおよびこの透明電極２ａ、３ａに電気的に接続された銀等の母線２ｂ、３ｂとから構成されている。また、前記前面側の基板１には、前記複数対の電極群を覆うように誘電体層６が形成され、その誘電体層６上には保護膜７が形成されている。
【０００４】
また、前記前面側の基板１に対向配置される背面側の基板８上には、基板１上の走査電極２及び維持電極３の表示電極４と直交する方向に、絶縁体層９で覆われた複数のストライプ状のデータ電極１０が形成されている。このデータ電極１０間の絶縁体層９上には、データ電極１０と平行にストライプ状の複数の隔壁１１が配置され、この隔壁１１間の側面１１ａおよび絶縁体層９の表面に蛍光体層１２が設けられている。
【０００５】
これらの基板１と基板８とは、走査電極２および維持電極３とデータ電極１０とが直交するように、微小な放電空間を挟んで対向配置されるとともに、周囲が封止され、そして前記放電空間には、例えばヘリウム、ネオン、アルゴン、キセノンなどのうちの一種または混合ガスが放電ガスとして封入されている。また、放電空間は、隔壁１１によって複数の区画に仕切ることにより、表示電極４とデータ電極１０との交点が位置する複数の放電セル１３が設けられ、その各放電セル１３には、赤色、緑色及び青色となるように蛍光体層１２が一色ずつ順次配置されている。
【０００６】
次に、上記パネル本体の動作について説明すると、このパネル本体の電極配列は、図６に示すように、Ｍ本×Ｎ本（Ｍ，Ｎは整数）の放電セルからなるマトリックス構成であり、行方向にはＭ行の走査電極ＳＣＮ１〜ＳＣＮＭおよび維持電極ＳＵＳ１〜ＳＵＳＭが配列され、列方向にはＮ列のデータ電極Ｄ１〜ＤＮが配列されている。
【０００７】
また、このパネル本体を用いたＡＣ型プラズマディスプレイ装置の駆動方法のタイミングチャートの一例を図７に示す。
【０００８】
図６および図７に示すように、書き込み期間では、全ての維持電極ＳＵＳ１〜ＳＵＳＭを０ボルト（Ｖ）に保持した後に、第１行目の表示する放電セルに対応する所定のデータ電極Ｄ１〜ＤＮに正の書き込みパルス電圧＋Ｖｗ（Ｖ）を、第１行目の走査電極ＳＣＮ１に負の走査パルス電圧−Ｖｓ（Ｖ）をそれぞれに印加すると、所定のデータ電極Ｄ１〜ＤＮと第１行目の走査電極ＳＣＮ１との交点部において、書き込み放電が起こる。
【０００９】
次に、第２行目の表示する放電セルに対応する所定のデータ電極Ｄ１〜ＤＮに正の書き込みパルス電圧＋Ｖｗ（Ｖ）を、第２行目の走査電極ＳＣＮ２に負の走査パルス電圧−Ｖｓ（Ｖ）をそれぞれに印加すると、所定のデータ電極Ｄ１〜ＤＮと第２行目の走査電極ＳＣＮ２との交点部において書き込み放電が起こる。
【００１０】
上記同様の動作が順次に行われて、最後に第Ｍ行目の表示する放電セルに対応する所定のデータ電極Ｄ１〜ＤＮに正の書き込みパルス電圧＋Ｖｗ（Ｖ）を、第Ｍ行目の走査電極ＳＣＮＭに負の走査パルス電圧−Ｖｓ（Ｖ）をそれぞれに印加すると、所定のデータ電極Ｄ１〜ＤＮと第Ｍ行目の走査電極ＳＣＮＭとの交点部において書き込み放電が起こる。
【００１１】
次の維持期間では、全ての走査電極ＳＣＮ１〜ＳＣＮＭを一旦０（Ｖ）に保持すると共に、全ての維持電極ＳＵＳ１〜ＳＵＳＭに負の維持パルス電圧−Ｖｍ（Ｖ）を印加すると、書き込み放電を起こした前記交点部における走査電極ＳＣＮ１〜ＳＣＮＭと維持電極ＳＵＳ１〜ＳＵＳＭとの間に維持放電が起こる。次に全ての走査電極ＳＣＮ１〜ＳＣＮＭと全ての維持電極ＳＵＳ１〜ＳＵＳＭとに負の維持パルス電圧−Ｖｍ（Ｖ）を交互に印加することにより、表示する放電セルにおいて維持放電が継続して起こる。この維持放電の発光によりパネル表示が行われる。
【００１２】
次の消去期間において、全ての走査電極ＳＣＮ１〜ＳＣＮＭを一旦０（Ｖ）に保持すると共に、全ての維持電極ＳＵＳ１〜ＳＵＳＭに消去パルス電圧−Ｖｅ（Ｖ）を印加すると、消去放電を起こして放電が停止する。
【００１３】
以上の動作により、ＡＣ型プラズマディスプレイ装置において、一画面が表示される。
【００１４】
図８に上記で説明したパネル本体を組み込んだプラズマディスプレイ装置の全体構成の一例を示している。図において、パネル本体１４を収容するケースは、金属製のフロントケース部１５とバックケース部１６とから構成され、フロントケース部１５の前面にはガラス等からなる透光部１７が設けられている。さらに、バックケース部１６には、パネル本体１４等で発生した熱を外部に放出するための複数の通気孔１６ａが設けられている。
【００１５】
前記パネル本体１４は、アルミニウム製のシャーシ部材１８の前面に絶縁性の熱伝導シート１９を介して接着することにより保持され、そしてシャーシ部材１８の後面側には、パネル本体１４を発光駆動させるための複数の回路ブロック２０が取り付けられている。前記熱伝導シート１９は、パネル本体１４で発生した熱をシャーシ部材１８に効率よく伝え、放熱を行うためのものであり、回路ブロック２０はパネル本体１４の発光駆動とその制御を行うための電気回路を備えており、パネル本体１４の縁部に引き出された電極引出部に、シャーシ部材１８の四辺の縁部を越えて延びる複数のフレキシブル配線基板（図示せず）によって電気的に接続されている。
【００１６】
また、シャーシ部材１８の後面には、複数の放熱用フィン１８ａと回路ブロック２０を取り付けるための複数のボス部１８ｂとシャーシ部材１８をバックケース部１６に固定するためのボス部１８ｃとが、ダイカストや鋳造等による一体成型により突設されている。
（たとえば、特許文献１参照）。
【００１７】
以上のような構成を持つプラズマディスプレイ装置において、維持期間において走査電極と維持電極の一組に約４００ｍＡｐ−ｐの電流が流れるのでＭ行の電極がある場合
０．４Ａｐ−ｐ×Ｍ＝０．４Ｍ  Ａｐ−ｐ
となり、例えばＭを４８０本とすれば１９２Ａｐ−ｐの放電電流が流れる。  よって約１９２Ａｐ−ｐの電流により引き起こされる電磁波妨害は重要な課題である。
【００１８】
さらに電磁波は、計器に障害を及ぼすことが知られており、最近では、電磁波が人体にも障害を及ぼす可能性もあるとの報告もされている。このため、電磁波放出に関しては、法的に規制される方向になっている。例えば、現在日本では、ＶＣＣＩ（Ｖｏｌｕｎｔａｌｙ  Ｃｏｎｔｒｏｌ  Ｃｏｕｎｃｉｌ  ｆｏｒ  Ｉｎｔｅｒｆｅｒｅｎｃｅ  ｂｙ  ｄａｔａ  ｐｒｏｃｅｓｓｉｎｇ  ｅｑｕｉｐｍｅｎｔ  ｅｌｅｃｔｒｏｎｉｃ  ｏｆｆｉｃｅ  ｍａｃｈｉｎｅ）による規制があり、米国では、ＦＣＣ（Ｆｅｄｅｒａｌ  Ｃｏｍｍｕｎｉｃａｔｉｏｎ  Ｃｏｍｍｉｓｓｉｏｎ）による製品規制がある。以上のような電磁波妨害については、電磁波遮断フィルターが、電磁波遮断用途としてテレビやコンピューター用ＣＲＴモニターに広く用いられている。
【００１９】
たとえば、特許文献２においてプラズマディスプレイパネル（ＰＤＰ）は、その発光原理上強度の電磁波を表示部分から外部に放出する強度の電磁波を遮断するためには、低抵抗であり透明な電磁波遮断フィルターが必要であると述べられている。
【００２０】
上記特許文献２には、低抵抗透明導電性薄膜の開発にあたっては、金属薄膜層、特に純物質中で最も比抵抗が小さい銀を用いた金属薄膜層の利用が有効であり、さらに透過率上昇及び金属薄膜層の安定性向上の目的で、金属薄膜層を透明高屈折率薄膜層で挟み込み透明導電性薄膜積層体を形成することが非常に効果的であり、この透明導電性薄膜積層体は、各薄膜層の材料や膜厚を選ぶことによって、用途に応じて最適な光学特性及び電気特性を持つように設計することができると提案されている。
【００２１】
さらに上記特許文献２には、金属薄膜層材料としてその比抵抗の低さ故に好適に用いられる銀は、反面原子の凝集を生じやすいという面を持つ。例えば、塩化物イオン存在下又は、電場下において容易に凝集を生じる。銀薄膜中の銀原子が凝集すると銀白色の点を生じ、本来持つ高透明性や、低抵抗性を失ってしまう。銀の凝集を抑制するための手法の１つとして、銀を合金化する方法がある。合金化に用いる金属としては、金、銅、パラジウムが一般的である。従来は銀とパラジウムと銅からなる合金が最も耐久性の優れた銀合金材料であった。特にパラジウム及び銅をそれぞれ１重量パーセントずつ含有する銀合金を用いた場合は純銀を用いた場合に比較して高透明性及び低抵抗性を著しく損なうこと無く、透明導電性薄膜積層体の耐久性を向上させることができる。
【００２２】
しかしながら、これら透明導電性薄膜積層体は、塩化物イオンの存在下において、又は電流を流すことによって銀薄膜層での銀原子の凝集を生じ易い。そのため透明電極や電磁波遮断フィルター用部材として用いた場合に、銀凝集による点状欠陥が生じやすかったとも述べられている。
【特許文献１】特開平１０−２４０１３８号公報
【特許文献２】特開２００３−２２５９６４号公報
【発明の開示】
【発明が解決しようとする課題】
【００２３】
前記従来の構成ではパネル本体から放出される電磁波を低導電率を有する金属体で低減させることが課題となっていたが、上記のようにプラズマディスプレイ装置のパネル内部では約２００Ａｐ−ｐのピーク交番電流が常時流れるために単純に電磁波を低減すると言うよりも電界、磁界と分離して低減する必要性が発生した。  さらに電磁波を低減するために前面ガラスに銅や銀を利用した電磁波フィルターが導入されているが銅や銀は非磁性体であるので不要電界成分に関しては十分な効果のある遮蔽体になるが、磁界に関しては銅や銀の非磁性体金属に交番磁界が交差したときに銅や銀の非磁性体金属内部で発生する渦電流による外部高周波磁界打消し効果しか期待出来ず、低域磁界成分により発生する磁界不要輻射成分の低減が課題となってきている。
【００２４】
本発明はこのような課題を解決し、パネル本体からの電界と磁界を低減させることを目的とするものである。
【課題を解決するための手段】
【００２５】
上記目的を達成するために本発明のプラズマディスプレイ装置は、前面ガラス板の前面側に光学フィルタを設けてなるカラー表示用プラズマディスプレイパネルにおいて、前記光学フィルターにコントラスト改善のために一定範囲の可視光を吸収するとともに、前記カラー表示用プラズマディスプレイパネルで発生する不要電界と不要磁界を吸収する電界・磁界吸収層において強磁性を有する金属メッシュで構成したものである。
【００２６】
本構成により、強磁性を有する金属メッシュを用いるので電界吸収は勿論のこと、非磁性体における渦電流の外部磁界打消し効果は非磁性体金属に劣る（銅や銀のような非磁性を有する金属に比較して導電率が大きい）が、強磁性を有する金属体の磁界遮断効果によりカラー表示用プラズマディスプレイパネルで発生する不要輻射電界と特に不要輻射磁界の吸収を図ることが出来る。
【００２７】
また本発明のプラズマディスプレイ装置は、バックカバーの内側に、前記カラー表示用プラズマディスプレイパネルで発生する不要電界と不要磁界を吸収する電界・磁界吸収層において強磁性を有する金属メッシュで構成したフィルタを備えたものであり、本構成によりカラー表示用プラズマディスプレイパネルで発生する不要輻射電界と特に不要輻射磁界の吸収を図り、不要輻射対策に特段の効果を奏するものである。
【発明の効果】
【００２８】
本発明のプラズマディスプレイ装置によれば、強磁性体の金属をフィルターとして使用するので、不要電界成分に対しては金属本来の低抵抗性により低減が図れ、さらに不要磁界成分に対しては、金属の強磁性により低減が図れるので、プラズマディスプレイ装置の周囲への電界・磁界の不要輻射を低減できる。
【発明を実施するための最良の形態】
【００２９】
以下、本発明を実施するための最良の形態について、図面を参照しながら説明する。
【００３０】
（実施の形態１）
図１は本発明の実施の形態１におけるプラズマディスプレイ用光学フィルター付き前面電界・磁界フィルター２５の断面図である。プラズマディスプレイ装置の全体構成の分解斜視図（図８）において、透光部１７の表面上でプラズマパネル側に光学フィルター付き前面電界・磁界フィルター２５は貼り付けられている。
【００３１】
プラズマディスプレイ装置の一連の駆動動作は前述した通りで、一画面を表示するのにプラズマディスプレイパネルを構成する複数の電極に電流が流れることによって実現されている。
【００３２】
ここで、このプラズマディスプレイ装置においては、光学フィルター付き電界・磁界フィルター１７に電界・磁界シールドのために、強磁性体の金属メッシュを施し、その強磁性体金属メッシュの周辺部をアースすることにより、プラズマディスプレイパネル前面側から電界・磁界が放出されるのを防いでいる。
【００３３】
図１において、光学フィルター付き前面電界・磁界フィルター光学フィルター２５は光学フィルター（もしくは保護シート）２１のパネル本体１４側に強磁性を有する金属メッシュ２２を形成し、さらにその上に（接して）保護シート２３が形成されている。また、強磁性を有する金属メッシュ２２の周辺部分には保護シート２３が形成されておらず、図１の接続部２６でアースを取る構造になっている。
【００３４】
次に図９を用いてプラズマディスプレイ用光学フィルター付き前面電界・磁界フィルター２５の固定方法について説明する。図９（ａ）はプラズマディスプレイパネル１４側から見たプラズマディスプレイ用光学フィルター付き前面電界・磁界フィルター２５であり、図９（ｂ）はプラズマディスプレイ装置の側面から見た断面図である。
【００３５】
図９（ａ）の保護シート２３は図１で説明した通り、強磁性体の金属メッシュ２２の周辺部を残して強磁性体の金属メッシュ２２に接して設けられている。保護シート２３が設けられなかった領域は、接続部２６として、光学フィルター付き前面電界・磁界フィルター２５の押え金具２７が設けられている。この押え金具２７は金属製のものからなり、フロントケース部１５に一端が固定され、もう一端で光学フィルター付き前面電界・磁界フィルター２５を固定している。
【００３６】
図９では、光学フィルター付き前面電界・磁界フィルター２５の四辺すべてを押え金具２７で固定しているが必ずしもその必要はなく、対向する二辺だけであっても良い。
【００３７】
押え金具２７は光学フィルター付き前面電界・磁界フィルター２５の強磁性の金属メッシュ２２と電気的に導通しており、この強磁性の金属メッシュ２２は押え金具２７を通じてアースされている。
【００３８】
金属メッシュ２２は、例えば鉄やニッケル、または鉄合金のような強磁性体のものからなり、光学フィルター２１の上に、メッシュ状態に形成されている。
【００３９】
以上の構成により、本実施の形態のプラズマディスプレイ装置は、光学フィルター付き前面電界・磁界フィルター光学フィルター２５は、外光の反射を抑えるなどの光の制御を行うとともに、プラズマディスプレイパネルから発生される電界や磁界を吸収し、プラズマディスプレイ装置の前面から放射される不要な電磁波を抑えることを可能とするものである。
【００４０】
なお、本実施の形態のプラズマディスプレイ装置では、光学フィルター付き前面電界・磁界フィルター光学フィルターとしてプラズマディスプレイパネルから発せられる電界・磁界を防ぐ構成を一例として説明したが、プラズマディスプレイパネルから発せられる不要輻射が装置の外部に放射されるのを低減するという課題に対しては、強磁性体からなるフィルターをプラズマディスプレイパネルの前面側に配置するものであれば、その目的において前述の光学フィルター付き前面電界・磁界フィルター光学フィルターと同等の効果を奏する。
【００４１】
また、強磁性体からなる金属メッシュ２２のかわりに、強磁性体の金属をスパッタによって形成したフィルターで置き換えても、同等の効果を奏することができる。
（実施の形態２）
図２は、本発明の第２の実施の形態の説明図である。図２において図１と同じ構成要素に関しては同じ符号を使用し説明を省略する。
【００４２】
図２において、強磁性を有する金属メッシュ２２の上に（接して）、金属メッシュ２２より導電率の低い金属めっき２４を施している。さらに金属めっき２４の上に（接して）保護シート２３が備えられている。保護シート２３は、例えば、金属メッシュ２２が鉄により構成され、金属めっき２４が銀から構成されている。
【００４３】
このような構成をとることで、電界フィルターとしての電界・磁界に対するシールド効果の向上を図るとともに、光学フィルター付き電界・磁界フィルター２５の金属めっき２４上において渦電流が増加するので、磁界打消しがさらに向上させることができるものである。
（実施の形態３）
次に、本発明の第３の実施の形態について説明する。（実施の形態１）、（実施の形態２）では、主にプラズマディスプレイ装置の前面から放射される電界または磁界を防ぐための構成について説明したが、プラズマディスプレイ装置からは前面のみならず後面からも放射される電界や磁界は存在するため、これらの電界や磁界をシールドするための構成例を説明する。
【００４４】
図１０は、プラズマディスプレイ装置の側面から見た図であり、（実施の形態１）で説明した図９（ｂ）と符号が同じものは同じ構成、動作を行うものである。
【００４５】
光学フィルター付き前面電界・磁界フィルター２５は、その周囲を押え金具２７によってフロントケース１５に押えられて固定されている。光学フィルター付き前面電界・磁界フィルター２５は詳細を記載していないが、図１のように光学フィルター２１、金属メッシュ２２、および保護シート２３からなる構成であってもよく、また図２のように光学フィルター２１、金属メッシュ２２、低送電率金属めっき２４、および保護シート２３からなる構成であってもよい。
【００４６】
プラズマディスプレイパネル１４は、前面ガラス基板と後面ガラス基板が張り合わされて構成され、その後面ガラス基板は熱伝導性シート１９を介してシャーシ部材１８に固定されている。前面ガラス基板は光学フィルター付き前面電界・磁界フィルター２５と対面する位置に設けられ、プラズマディスプレイパネル１４の前面ガラス基板側から放射される電界・磁界は主に前面ガラス基板は光学フィルター付き前面電界・磁界フィルター２５によって吸収され、プラズマディスプレイ装置の外に放射されるのを抑えている。
【００４７】
バックケース部３１はフロントケース部１５に接続されて設けられ、前面ガラス基板は光学フィルター付き前面電界・磁界フィルター２５とフロントケース部１５とバックケース部３１によって、プラズマディスプレイパネル１４やシャーシ部材１８を囲っている。また図示していないが、シャーシ部材１８の後面側には、プラズマディスプレイパネル１４を駆動するための回路基板が固定されており、この回路基板からの信号によってプラズマディスプレイパネル１４の各画素の発光制御がなされている。
【００４８】
バックケース部３１の内面側には、電界・磁界フィルター３０が設けられている。この電界・磁界フィルター３０は、例えば繊維生地の表面に、強磁性体、例えば鉄、ニッケル、フェライトなど、をメッシュ、またはスパッタしたものから構成されている。バックケース部３１の内面側に電界・磁界フィルター３０が貼られている。この電界・磁界フィルター３０は押え金具２７と電気的に接続されており、アースされている。
【００４９】
本実施例の構成により、プラズマディスプレイパネル１４から放射される電界・磁界が、プラズマディスプレイ装置から放射されるのを抑えることができる。また本実施の形態のように、前面ガラス基板は光学フィルター付き前面電界・磁界フィルター２５とともに使用することにより、フロントケース部１５およびバックケース部３１からの電界・磁界など不要輻射を抑えることを可能にしたものであるが、単独で用いられてもよい。
【００５０】
また、電界・磁界フィルター３０は、バックケース部３１の内側に貼り付けられる物でなくてもよく、シャーシ部材１８に固定される回路基板毎にそれを覆うように備えられてもよい。
【００５１】
本実施の形態の構成によれば、プラズマディスプレイパネル１４から発射・放射される電界、磁界による電磁波を、周囲に備える電界・磁界フィルター３０によって吸収することでプラズマディスプレイ装置から外にでる量を抑えるのに効果がある。従ってこの実施の形態例によりプラズマディスプレイ装置からの不要輻射を減らすことで、周囲の機器の動作に悪影響を与えることなくプラズマディスプレイ装置を動作させることができる。
【００５２】
また、本実施の形態において電界・磁界フィルター３０の構成を繊維生地の表面に強磁性体を付着した例を示したがこの構成に限るものでなく、プラズマディスプレイパネル１４の後ろ側に電界・磁界フィルター３０と似たような構成のものを備えたものでも同等の効果を得ることができる。例えば、バックケース部３１上に、例えば鉄、ニッケル、フェライトなどの強磁性体をメッシュ、またはスパッタして設けたものであってもよい。
【００５３】
さらには、バックケース部３１が強磁性体から作られたものであれば電界・磁界フィルター３０と同等の効果をあげることができ、電界・磁界フィルター３０をあえて備える必要がない。強磁性体からなるバックケース部３１がフロントケース部１５と接続されて備えられ、アースされていることで、不要輻射を減らすことが可能である。またこの場合、電界・磁界フィルター３０がプラズマディスプレイパネル１４とバックケース部３１で必要ないため、プラズマディスプレイ装置の内部の空間をより狭くすることができる。
【産業上の利用可能性】
【００５４】
本発明にかかるプラズマディスプレイ装置は、強磁性を有する金属のメッシュフィルターを利用するので、不要電界吸収は勿論のこと特に不要磁界吸収に関して優れた吸収特性を持つので、映像表示を行う光学フィルター付きプラズマディスプレイ装置として不要輻射を低減するプラズマディスプレイ装置として大変有用である。
【図面の簡単な説明】
【００５５】
【図１】本発明の一実施の形態におけるプラズマディスプレイ装置の光学フィルター付前面電界・磁界フィルターの断面図
【図２】本発明の他の実施の形態におけるプラズマディスプレイ装置の光学フィルター付前面電界・磁界フィルターの断面図
【図３】プラズマディスプレイパネルの構造を示す図
【図４】同プラズマディスプレイパネルの断面を示した図
【図５】同プラズマディスプレイパネルの断面を示した図
【図６】同プラズマディスプレイパネルの電極配列を示す図
【図７】ＡＣ型プラズマディスプレイ装置の駆動方法を信号の波形図として示した図
【図８】プラズマディスプレイ装置の全体構成の一例を示す分解斜視図
【図９】本発明の他の実施の形態におけるプラズマディスプレイ装置の光学フィルター付前面電界・磁界フィルターを押えるための構成を示す図
【図１０】本発明の他の実施の形態におけるプラズマディスプレイ装置の断面図
【符号の説明】
【００５６】
１    前面側の基板
２    走査電極
３    維持電極
４    表示電極
５    遮光層
６    誘電体層
７    保護膜
８    背面側の基板
９    絶縁体層
１０    データ電極
１１    隔壁
１２    蛍光体層
１３    放電セル
１４    パネル本体
１５    フロントケース部
１６、３１    バックケース部
１７    透光部
１８    シャーシ部材
１９    熱伝導シート
２０    回路ブロック  
２１    光学フィルター（もしくは保護シート）
２２    強磁性を有する金属メッシュ
２３    保護シート
２４    低導電率金属めっき
２５    光学フィルター付き前面電界・磁界フィルター
２６    接続部
２７    押え金具
３０    電界・磁界フィルター
【図１】
2005292742.tif 000003
【図２】
2005292742.tif 000004
【図３】
2005292742.tif 000005
【図４】
2005292742.tif 000006
【図５】
2005292742.tif 000007
【図６】
2005292742.tif 000008
【図７】
2005292742.tif 000009
【図８】
2005292742.tif 000010
【図９】
2005292742.tif 000011
【図１０】
2005292742.tif 000012